(57)【要約】【課題】  タオルの利用において、食事介助をする場合タオルを首に巻きつけたり、タオルの端を洋服の襟元に入れて使用すれば、少し動いたり何かした拍子にすぐに外れてしまったり、タオルを首にかけてスポーツや労働をすると、風に吹かれて落ちたり、軽い運動でも落ちてしまうことや、障害のある方が、片手だけで手を拭こうとする場合、タオル掛けからタオルが落ちないような切れ目つきタオルを提供する。【解決手段】  長方形からなるタオル１の短辺の端から長辺の略４分の１〜１０分の１の位置に、短辺と平行で人の頭が通る位の線状の切れ目２を設けたことを特徴とする切れ目つきタオルであり、好ましくは、切れ目２の長さを略３等分した位置の各々に、長さが１５ｃｍ〜２５ｃｍの紐３を備えた事を特徴とする切れ目つきタオル。【選択図】      図１
2012082555.tif 000002
【特許請求の範囲】
【請求項１】
長方形からなるタオル１の短辺の端から長辺の略４分の１〜１０分の１の位置に、短 
辺と平行で人の頭が通る位の線状の切れ目２を設けたことを特徴とする切れ目つきタオ  
ル。
【請求項２】
切れ目２の長さを略３等分した位置の各々に、長さが１５ｃｍ〜２５ｃｍの紐３を備 
えた事を特徴とする請求項１に記載の切れ目つきタオル。
【発明の詳細な説明】
【技術分野】
【０００１】
本発明は、切れ目つきタオルに関する。
更に詳しくは、タオルに切れ目を付けることにより、エプロンや首巻、手拭等に便利に応用可能な切れ目つきタオルに関する。
【背景技術】
【０００２】
従来から、タオルの応用として、タオルを首に巻きつけたり、タオルの端を洋服の襟元に入れたりして使用していた。
【０００３】
従来、海辺などで肩部や上腕部の日焼け防止で、タオルの中心に切れ目を入れたものがあった。
（公開実用新案公報  昭６２−３３３９２号公報）
【０００４】
また、エプロンとして使用し、肩にかけたタオルが、肩から落ちないようにするタオル類の中央に切れ目を入れたものがあった。
（登録実用新案  第３１２６９１７号公報）
【０００５】
上記２つの先行技術は、タオルの中心部に切れ目を設けた為に、座位姿勢で食事をする場合には生地の半分が背中にまわり、膝の上に食事がこぼれても受けるほどの生地がないので、汚れる。寝たきりの方に使用すれば、背中に無駄な生地がまわり、頭からの着脱に少し時間がかかる欠点がある。
【先行技術文献】
【特許文献】
【０００６】
【特許文献１】公開実用新案公報    昭６２−３３３９２号
【特許文献２】登録実用新案        第３１２６９１７号
【発明の概要】
【発明が解決しようとする課題】
【０００７】
そのため、次のような問題点があった。
イ．食事介助をする場合タオルを首に巻きつけたり、タオルの端を洋服の襟元に入れて使用すれば、少し動いたり何かした拍子にすぐに外れてしまう。
介護用のエプロンは介助人の視点のみで作られていた。こぼれる食事を広く受け取れる様にエプロン自体が大きく、見た目の悪いスタイルであったり素材のほとんどが、ナイロン、ポリエステルなどで撥水性に重点がおかれ、吸水性がなく通気性が悪い。
口からこぼれた汁物などが、顎を伝ってエプロン下の洋服にしみ込み汚れていた。
ロ．タオルを首にかけてスポーツや労働をすると、風に吹かれて落ちたり、軽い運動でも落ちてしまう。首を左右に動かすだけでも少しずつずれていき、いつも落ちないように意識していないといけない。
ハ．障害のある方が、片手だけで手を拭こうとする場合、タオル掛けからタオルが落ちないように気を使いながら拭かないといけない。下手に引っ張るとタオルが抜けてしまい、元に戻すのに時間がかかる。
本発明はこれらの問題点を解決するためになされたものである。
【課題を解決するための手段】
【０００８】
本発明は、上記課題を解決するために以下の構成を有する。
請求項１に記載の切れ目つきタオルは、長方形からなるタオル１短辺の端から長辺の略４分の１〜１０分の１の位置に、短辺と平行で人の頭が通る位の線状の切れ目２を有している。
切れ目２は、１乃至２本が設けられる。切れ目の長さは、各々同一でもよいし異なっていてもよい。
切れ目の周囲は、ほつれを防ぐために縁取り２aをするのが好ましい。
この構成により、以下の作用を有する。
（１）切れ目がタオルの長さ方向の端部側にあるので、切れ目を設けた端部以外の部分が広く、手拭き面やエプロン面として使用できる部分を利用しやすい。
（２）タオルの両端に切れ目を大人用と子供用に切れ目の長さをかえて複数設けることで、使用範囲も広げることができる。
また、タオルは一面に防水加工を施してもよい。
ここで、タオルとしては、フェイスタオル、スポーツタオル、並判タオル、バスタオル等が用いられる。
タオル裏面に防水加工した布を合わせてもよい。これにより、汁をこぼしても下の服地を汚すことを防ぐことができる。
切れ目としては、大人や子供の頭が通る位の長さが用いられる。周囲は縁取りされるとほつれを防ぐことができて好ましい。
【０００９】
本発明の請求項２に記載の切れ目付きタオルは、請求項１において切れ目の長さを略３等分した各位置に長さ１５〜２５ｃｍの紐を備えた構成を有する。
この構成により、請求項１の作用に加え、以下の作用を有する。
（３）首が細い場合
タオルに頭を通した後に切れ目に設けた２組の紐を結ぶことで、口からこぼれた食事物が衿に入る心配がなく、肩幅のせまい人でも切れ目から肩が抜けることがない。
（４）タオル掛けとして使用する場合
切れ目の２組の紐を結び、縦に３つに折ることで、３つの切れ目が重なり、タオル掛けに通し重なった切れ目からタオルの端を通すことで、片手の不自由な人でも車椅子に乗った人が手を拭く際に、タオルを引っ張るくせがあるが、強く引っ張ってもタオルが落ちずにしっかりと手が拭ける。
（５）マフラーとして使用する場合
上記（４）と同様にして、首に巻くことで、保温の役割を果たす。
（６）体を冷却する場合
上記（４）と同様にするが、切れ目と切れ目に通された他端部により固定されるので、タオルの中央部に保冷剤を挟み首に巻くことで体を涼しくする効果がある。
【発明の効果】
【００１０】
ａ．食事介助をする場合、タオル１の切れ目２から頭を通すだけでタオル１は、外れて落ちる事はない。なお且つ、着脱が容易である。汚れた口をタオル１ですぐに拭くことができ、洗濯も簡単で衛生的である。柄の良いタオル１を使用したり、切れ目２の両端に飾りリボン等装飾を施せばオシャレになり気持も明るく、外で家族と食事に行ってみようかと前向きになる。
普段は結び紐３を使用する必要はないが、体が痩せていてタオル１を着用した時に首元が開きすぎる時は、切れ目２取り付けた紐３の長さを調節して結ぶ事ができる。又、化粧ケープに代用できる。
ｂ．タオル１を首に掛けてスポーツや労働をするときは、切れ目２の２組の取り付けた紐３を結び、タオル１の長辺に平行して３つに折り畳み首に掛け、タオル１の端を重なった切れ目２から通せばタオル１が落ちる心配はない。前記の様な使い方で寒い時はマフラーとして防寒の役割を果たし、暑い時は食品の中に入れる保冷剤などをタオル１の中心に包み込み使用すると、丁度首の後ろを冷やす事ができ涼しくなり、発熱時にも使用できる。
ｃ．体に障害があり片手しか使えない方でも、ｂ．と同様にタオル１をタオル掛けに通せば、タオル１を落とすことなく上手に手が拭ける。
【図面の簡単な説明】
【００１１】
【図１】本発明のタオルの裏の平面図である。
【図２】本発明のタオルの表の平面図である。
【図３】本発明のタオルを頭に通した状態を示した略図である。
【図４】本発明のタオルの紐を結んだ状態を示した略図である。
【図５】本発明のタオルを首に巻いた状態を示した略図である。
【図６】本発明のタオルをタオル掛けに掛けた状態を示した略図である。
【発明を実施するための形態】
【００１２】
以下、本発明の実施の形態について図面を参考にして説明する。
図１、図２は本発明の切れ目付きタオルの平面の略図である。
長方形からなるタオル１において、短辺の端から長辺の略４分の１〜１０分の１の位置に、短辺と平行して人の頭が通る位の線状の切れ目２設けている。切れ目２は、大人用と子供用にタオル１の両端に異なる長さの切れ目２を設けてもよい。大人用に切れ目２だけには、略３分の１の位置に約１５〜２５ｃｍの紐３を設ける。
切れ目２には、切れ目がほつれないように裁ち目をまつったり、バイヤステープ等で縁取り２aが設けられている。
図３は、本発明の切れ目付きタオルを頭Ａに通した状態を示す略図である。
図３に示すように、切れ目付きタオル１を頭Ａに通して使用する場合、普段は切れ目の紐３を結ぶ必要はないが、体がやせて首が開きすぎる時には紐３を結び調整できる。
図４は、本発明の切れ目付きタオルの紐３を結んだ状態を示す略図である。
図５は、本発明の切れ目付きタオルを首に巻いた状態を示す略図である。
図５に示すように、切れ目２に設けた紐３を結ぶことで、切れ目２が３つに分かれるタオルを３つ折にすることで、３つの切れ目が１つの切れ目として重なる。
３つ折にしたタオル１を首にまいて、重なった切れ目２にタオルの他端を通す。これにより、スポーツをする時や労働をする時など風に吹かれても首から落ちることなく、汗を拭くこともできる。
また、寒いときなどちょっとした防寒用マフラーとして使用することもできる。
更に、夏の暑い時期や風邪をひいて熱があるときなど、タオル１の中央に保冷剤を入れて３つ折で使用すれば、クールマフラーとして体温を下げる効果がある。
図６は、本発明の切れ目つきタオルをタオル掛けＢに掛けた状態を示す略図である。
図６に示すように、３つ折にしたタオル１をタオル掛けＢに掛けて、重なった切れ目２にタオルの他端を通し固定する。これにより、障害があり片手しか使えない人でも、タオルを落とさずしっかりと手が拭ける。切れ目２が端にあることで、固定されたタオルは長くなり使用範囲は広くなる。
【使用方法１】
【００１３】
エプロンとしての使用
食事介助で使用する場合は、図３に示すように、切れ目２から長い方のタオル１を前にして頭に通すだけでエプロンとして用いることができる。
体が痩せていて首元が開きすぎる場合は、切れ目２に取り付けた２組の紐３を結びの長さを調節できる。
これにより、前に下がったタオル部分でこぼれた食事物を受け止めたり、汚れた口元や手を拭くことができる。  
また、柄の良いタオル（１）を使用したり、切れ目（２）の両端に飾りリボン等補強も兼ねて装飾を施すと、オシャレなお出かけ用になる。化粧ケープとして代用できる。
【使用方法２】
【００１４】
防寒用マフラーやクールマフラーとしての使用
タオル１を首に掛けてスポーツや労働をする時は、タオル１の切れ目２の２組の結び紐３を予めしっかり結んでおき、長辺に平行して３つに折り畳み首に掛けて使用する。落ちない様にするには重なった切れ目２の穴に、一方のタオル１の端を通して使用する。
寒い時には上記と同様にする事でマフラーのように防寒用として使用できる。
暑い時には上記と同様にするがタオル１を中央に保冷剤（冷凍食品の中に入っている保冷剤でも利用できる）を入れて首に巻けば、丁度首の後ろに当たり涼しくなる。風邪で発熱した時も使用できる。
【使用方法３】
【００１５】
タオル掛けとしての使用
前記、使用方法２と同様にして、タオル掛けＢに通して使用する。
また、障害があり片手で紐を結ぶ作業が難しい人は、ボタンとループ（ボタンが通る位の輪状の紐）に変えると自力でタオルをセットできる。
【符号の説明】
【００１６】
１   タオル
２   切れ目
２a  縁取り
３    紐
Ａ  人体
Ｂ  タオル掛け
【図１】
2012082555.tif 000003
【図２】
2012082555.tif 000004
【図３】
2012082555.tif 000005
【図４】
2012082555.tif 000006
【図５】
2012082555.tif 000007
【図６】
2012082555.tif 000008